(57)【要約】  装置（１）の製造方法が提案されている。装置は、少なくとも１つの光電子モジュール（１）を含む。方法は、基板ウエハ（ＰＷ）と光学ウエハ（ＯＷ）とを含むウエハスタック（２）を作ることを含む。基板ウエハ（ＰＷ）には、数多くの能動光学部品（Ｅ）が搭載され、光学ウエハ（ＯＷ）は、数多くの受動光学部品（Ｌ）を含む。光電子モジュール（１）の各々は、能動光学部品（Ｅ）のうち少なくとも１つの能動光学部品と受動光学部品（Ｌ）のうち少なくとも１つの受動光学部品とを含む。光学ウエハ（ＯＷ）は、少なくとも特定の波長範囲に対して少なくとも実質的に不透明であって、遮光部と称される少なくとも１つの部分と、少なくとも前述の特定の波長範囲に対して少なくとも実質的に不透明であって、透明部と称される少なくとも１つの他の部分とを含む。光電子モジュールは、基板部材と、光学部材と、基板部材に搭載されている少なくとも１つの能動光学部品と、光学部材に含まれている少なくとも１つの受動光学部品とを含む。光学部材（ＯＷ）は、基板部材（ＰＷ）に直接または間接的に固定されている。光電子モジュール（１）は、小さい寸法および高整列精度を有するとともに、優れた製造性を有する。
2014524663.tif 000002
【特許請求の範囲】
【請求項１】
少なくとも１つの光電子モジュールを含む装置を製造する方法であって、
基板ウエハと称される第１のウエハと、光学ウエハと称される第２のウエハとを含むウエハスタックを作るステップ（ｃ）を含み、
前記基板ウエハには、数多くの能動光学部品が搭載され、前記光学ウエハは、数多くの受動光学部品を含み、
前記光電子モジュールの各々は、前記能動光学部品のうち少なくとも１つの能動光学部品と前記受動光学部品のうち少なくとも１つの受動光学部品とを含む、方法。
【請求項２】
前記方法は、ピックアンドプレースによって前記能動光学部品を前記基板ウエハに配置するステップ（ｅ）を含む、請求項１に記載の方法。
【請求項３】
前記ウエハスタックは、前記能動光学部品と前記受動光学部品との間に特定の距離を確保するための手段を含み、
前記手段が前記光学ウエハに含まれる場合、前記方法は、
前記光学ウエハを提供するステップ（ｆ）を含み、前記光学ウエハは、前記能動光学部品と前記受動光学部品との間に前記特定の距離を確保するための縦突起を前記手段として含み、
前記能動光学部品を前記ウエハスタックに取付けるステップ（ｈ）を含み、前記ステップ（ｈ）は、前記ステップ（ｆ）が実行される前に実行されず、
前記手段が前記光学ウエハに含まれていない場合、前記方法は、
前記光学ウエハを提供するステップ（ｇ１）と、
前記能動光学部品と前記受動光学部品との間に前記特定の距離を確保するための少なくとも１つのスペーサウエハを前記手段として提供するステップ（ｇ２）と、
前記能動光学部品を前記ウエハスタックに取付けるステップ（ｈ′）とを含み、
前記ステップ（ｈ）は、前記ステップ（ｇ１）と前記ステップ（ｇ２）とが実行される前に実行されない、請求項１または２に記載の方法。
【請求項４】
前記能動光学部品は、発光素子であり、
前記光電子モジュールの各々は、前記発光素子のうちちょうど１つを含む、請求項１から３のいずれか１項に記載の方法。
【請求項５】
前記光学ウエハは、少なくとも特定の波長範囲に対して少なくとも実質的に不透明であって、遮光部と称される少なくとも１つの部分と、少なくとも前記特定の波長範囲に対して少なくとも実質的に不透明であって、透明部と称される少なくとも１つの他の部分とを含む、請求項１から４のいずれか１項に記載の方法。
【請求項６】
前記基板ウエハは、少なくとも特定の波長範囲に対して実質的に全体が透明であるか、または少なくとも特定の波長範囲に対して透明である１つ以上の部分を含む、請求項１から５のいずれか１項に記載の方法。
【請求項７】
前記方法は、前記能動光学部品の各々と前記基板ウエハとの間に電気接続を構築するステップ（ｊ）を含む、請求項１から６のいずれか１項に記載の方法。
【請求項８】
前記基板ウエハは、印刷回路板または印刷回路板組立体である、請求項１から７のいずれか１項に記載の方法。
【請求項９】
前記ウエハスタックは、前記能動光学部品と前記受動光学部品との間に特定の距離を確保するための手段を含み、
前記手段は、前記光学ウエハまたは前記基板ウエハに含まれ、または前記光学ウエハおよび前記基板ウエハから独立してあり、
前記手段は、少なくとも部分的に、少なくとも特定の波長範囲に対して少なくとも実質的に不透明である材料から実質的に形成されている、請求項１から８のいずれか１項に記載の方法。
【請求項１０】
前記能動光学部品は、ベアチップとして提供される、請求項１から９のいずれか１項に記載の方法。
【請求項１１】
前記方法は、前記ウエハスタックを数多くの前記光電子モジュールに分割するステップ（ｄ）を含み、前記各光電子モジュールは、前記受動光学部品のうち少なくとも１つの受動光学部品と、前記受動光学部品と縦方向で光学的に整列されている前記能動光学部品のうち少なくとも１つの能動光学部品とを含む、請求項１から１０のいずれか１項に記載の方法。
【請求項１２】
複製を用いて前記光学ウエハの少なくとも一部を製造するステップ（ｋ）を含む、請求項１から１１のいずれか１項に記載の方法。
【請求項１３】
複製を用いて前記受動光学部品を製造するステップ（ｌ）を含む、請求項１から１２のいずれか１項に記載の方法。
【請求項１４】
前記受動光学部品の各々は、前記能動光学部品のうち少なくとも１つの能動光学部品と関連付けられる、請求項１から１３のいずれか１項に記載の方法。
【請求項１５】
光電子モジュールであって、
基板部材と、
光学部材と、
前記基板部材に搭載されている少なくとも１つの能動光学部品と、
前記光学部材に含まれている少なくとも１つの受動光学部品とを含み、
前記光学部材は、前記基板部材に直接または間接的に固定されている、光電子モジュール。
【請求項１６】
前記光電子モジュールの縦方向のシルエットの外側境界と、前記光学ウエハの縦方向のシルエットの外側境界と、前記基板ウエハの縦方向のシルエットの外側境界とは、それぞれ実質的に長方形の形状を有する、請求項１６に記載のモジュール。
【請求項１７】
前記少なくとも１つの能動光学部品は、ちょうど１つの発光素子である、請求項１５または１６に記載のモジュール。
【請求項１８】
前記光学部材は、少なくとも特定の波長範囲に対して少なくとも実質的に不透明であって、遮光部と称される少なくとも１つの部分と、少なくとも前記特定の波長範囲に対して少なくとも実質的に不透明であって、透明部と称される少なくとも１つの他の部分とを含む、請求項１５から１７のいずれか１項に記載のモジュール。
【請求項１９】
前記基板部材は、少なくとも特定の波長範囲に対して実質的に全体が透明であり、または少なくとも特定の波長範囲に対して透明である１つ以上の部分を含む、請求項１５から１８のいずれか１項に記載のモジュール。
【請求項２０】
前記モジュールは、前記少なくても１つの能動光学部品と前記基板部材との間に少なくとも１つの電気接続を含む、請求項１５から１９のいずれか１項に記載のモジュール。
【請求項２１】
前記基板部材は、印刷回路板または印刷回路板組立体である、請求項１５から２０のいずれか１項に記載のモジュール。
【請求項２２】
前記モジュールは、前記少なくとも１つの能動光学部品と前記少なくとも１つの受動光学部品との間に特定の距離を確保するための手段を含み、
前記手段は、前記光学部材または前記基板部材に含まれ、または前記光学部材および前記基板部材から独立してあり、
前記手段は、少なくとも部分的に、少なくとも特定の波長範囲に対して少なくとも実質的に不透明である材料から実質的に形成されている、請求項１５から２１のいずれか１項に記載のモジュール。
【請求項２３】
前記少なくとも１つの能動光学部品は、少なくとも１つのベアチップである、請求項１５から２２のいずれか１項に記載のモジュール。
【請求項２４】
前記基板部材は、前記能動光学部品から前記基板部材を横断する少なくとも１つの電気接続を提供する、請求項１５から２３のいずれか１項に記載のモジュール。
【請求項２５】
前記基板部材の横方向の寸法と、前記光学部材の横方向の寸法とは、実質的に同一である、請求項１５から２４のいずれか１項に記載のモジュール。
【請求項２６】
前記光学部材は、前記基板部材とほぼ平行に整列されている、請求項１５から２５のいずれか１項に記載のモジュール。
【請求項２７】
前記基板部材と前記光学部材とは、少なくとも１つの穴を含み得る、概ねブロックまたは板状の形状を有する、請求項１５から２６のいずれか１項に記載のモジュール。
【請求項２８】
請求項１５から２７のいずれか１項に記載の光電子モジュールを数多く含む電化製品であって、
前記電化製品は、基板ウエハと称される第１のウエハと、光学ウエハと称される第２のウエハとを含み、
前記基板ウエハは、数多くの基板部材を含み、
前記光学ウエハは、数多くの光学部材を含む、電化製品。
【請求項２９】
印刷回路板と、前記印刷回路板に搭載され、請求項１５から２８のいずれか１項に記載の光電子モジュールとを含む電子装置。
【請求項３０】
前記電子装置は、携帯通信装置、または写真装置である、請求項２９に記載の電子装置。
【発明の詳細な説明】
【技術分野】
【０００１】
本発明は、光電子分野、より詳しくは光電子部品のパッケージングおよび製造に関する。より具体的には、本発明は、光電子モジュールおよびその製造方法と、このような光電子モジュール、特に発光体を備える光電子モジュールを含む電化製品および電子装置に関する。本発明は、特許請求の範囲のオープンクローズ表現に基づく方法および装置に関する。
【０００２】
用語の定義
「能動光学部品」：たとえば、フォトダイオード、イメージセンサ、ＬＥＤ、ＯＬＥＤ、レーザチップなどのような光検知素子または発光素子である。
【０００３】
「受動光学部品」：レンズ、プリズムおよびミラーなどのような、屈折および／または回折および／または反射によって光の方向を変える光学素子、またはこのような光学素子の集合であり、さらに開口絞り、画像スクリーン、ホルダーなどのような機械要素を含み得る光学系である。
【０００４】
「光電子モジュール」：少なくとも１つの能動光学部品と少なくとも１つの受動光学部品とを含む部品である。
【０００５】
「複製」：たとえば、エッチング、エンボス加工、インプリンティング、鋳造、成形などのような、指定された構造またはそのネガ構造を模写する技術である。
【０００６】
「ウエハ」：実質的に円盤状または板状に形成され、一方向（ｚ方向、または縦方向）における延長が、他の２つの方向（ｘ方向およびｙ方向、または横方向）の延長より小さい要素である。通常、（空白でない）ウエハには、複数の類似する構造または要素が概ね長方形のグリッド状に配置されまたはその内部に設けられる。ウエハは開口または穴を有してもよく、ウエハはさらにその横方向領域の主要部分に材料を含まなくてもよい。多くの文脈では、ウエハは一般的に半導体材料から形成されていると理解されるが、本特許出願においてこれに明示的に限定されない。したがって、ウエハは一般的に半導体材料、高分子材料、金属およびポリマーまたはポリマーおよびガラス材料を含む複合材料などから作ることができる。特に、熱またはＵＶ硬化性ポリマーなどの硬化性材料が本発明に関連する興味深いウエハ材料である。
【０００７】
「横方向」：「ウエハ」を参照する。
「縦方向」：「ウエハ」を参照する。
【０００８】
「光線」：最も一般的には電磁放射、より具体的には電磁スペクトルを有する赤外線、可視光または紫外線の電磁放射である。
【背景技術】
【０００９】
光電子モジュールを製造する既知の方法によれば、単一のパッケージ化された能動光学部品が単一の受動能動光学部品に対して配置および整列され、互いに対して固定される。
【００１０】
米国特許５９１２８７２は、光源と、光源に隣接して搭載された検出器とを有する光学的に透明な基板を含む集積光学装置を開示している。基板は、光源から遠く離れているターゲットまでの伝送通路内に設けられた光学素子を含む。この光学素子は、光線を１つ以上の光ビームに分割する。検出器は、ターゲットから反射された光ビームを受光する。１つ以上の光ビームを生成し、ターゲットに１つ以上の光ビームを導き、および検出器にターゲットからの１つ以上の光ビームを検出器に導くために必要なすべての光学素子は、基板上および／またはこの基板に接合された任意の構造上に設けられる。ウエハレベルで集積光学装置を製造する方法が開示されている。
【発明の概要】
【発明が解決しようとする課題】
【００１１】
本発明１つの目的は、光電子モジュールを製造する別の方法を提供することである。より具体的には、光電子モジュールを製造する特に高速な方法および／または光電子モジュールを製造する特に簡単な方法を提供する。さらに、個別の光電子モジュール、このような光電子モジュールを含む電子装置、およびこのような光電子モジュールを数多く含む電化製品を提供する。
【００１２】
本発明の別の目的は、特に良好な製造性を有する光電子モジュールおよび対応の製造方法を提供することである。
【００１３】
本発明の別の目的は、特に少ない製造ステップ数で製造可能な光電子モジュールおよび対応の製造方法を提供することである。
【００１４】
本発明の別の目的は、特に安定した製造工程である光電子モジュールの製造方法を提供することである。
【００１５】
本発明の別の目的は、大量生産に特に適する光電子モジュールの製造方法を提供することである。
【００１６】
本発明の別の目的は、改善された作業、特に簡単化した作業を含む光電子モジュールの製造方法を提供することである。
【００１７】
本発明の別の目的は、特に正確な整列を有する光電子モジュールおよび対応の製造方法を提供することである。
【００１８】
本発明の別の目的は、特に小さな寸法の光電子モジュールを提供することである。
本発明の別の目的は、モジュールから好ましくない光の出射および／またはモジュールへ好ましくない光の進入に対して十分保護されている光電子モジュールを提供することである。
【００１９】
本発明の別の目的は、少なくとも１つの光電子モジュールを含み、特に小型の電子機器を提供することである。
【００２０】
さらなる目的は、以下の説明および実施形態から明らかになる。
【課題を解決するための手段】
【００２１】
これらの目的の少なくとも１つは、少なくとも部分的に、特許請求の範囲に係る装置および方法により達成される。
【００２２】
本発明の一般的な局面
本発明の一般的な局面における方法は、少なくとも１つの光電子モジュールを含む装置を製造する方法であって、基板ウエハと称される第１のウエハと、光学ウエハと称される第２のウエハとを含むウエハスタックを作るステップ（ｃ）を含み、前述の基板ウエハには、数多くの能動光学部品が搭載され、前述の光学ウエハは、数多くの受動光学部品を含み、前述の光電子モジュールの各々は、前述の能動光学部品のうち少なくとも１つの能動光学部品と前述の受動光学部品のうち少なくとも１つの受動光学部品とを含む。
【００２３】
このようなウエハレベルの製造は、非常に少ない数の製造ステップのみを必要とする。さらに、達成可能な配列（特に横方向の配列）の精度は非常に高い。また、達成可能な工程の安定性も高い。このような方法は、大量生産に非常に適している。
【００２４】
また、パッケージ化された光電子モジュールを提供することができ、組立体に使用される前にさらなるパッケージングをする必要がなくなる。すべての必要なハウジング部は、既にウエハレベルで存在しているため、すべてのハウジング部を含むパッケージ化された光電子パッケージは、分割するステップ（下記のステップ（ｄ）参照）を実施することにより、容易に得られる。
【００２５】
装置は、たとえば光電子モジュールであってもよく、ウエハスタックであってもよい。装置は、光電子モジュールを含む装置、たとえばスマートフォン、または写真カメラまたはビデオカメラなどの写真装置のような光電子モジュールを含む電子装置であってもよい。
【００２６】
少なくとも装置は光電子モジュールである場合または１つまたは２つの光電子モジュールを含んでいる場合、方法は、典型的に、ウエハスタックを数多くの光電子モジュールに分割するステップ（ｄ）を含む。分割（ダイシング）は、たとえば、鋸（ダイシング鋸またはウエハ鋸）またはパンチカッターなどの機械工具、またはレーザによって達成することができる。
【００２７】
通常、既にウエハレベルでおよび各光電子モジュールにおける能動光学部品の各々は、すでに受動光学部品のうち少なくとも１つの受動光学部品に割当てられている。
【００２８】
能動光学部品は、パッケージ化された部品であってもよく、ベアチップの形すなわちパッケージ化されていない形で使用されてもよい。後者の場合、通常、より小さな光電子モジュールを製造することができるようになる。
【００２９】
光学ウエハの製造および／または基板ウエハの製造において、複製を使用することができ、光電子モジュールの効率的製造に貢献する。
【００３０】
本発明の一般的な局面の一実施形態において、本方法は、基板ウエハを提供するステップ（ａ）および／または光学ウエハを提供するステップ（ｂ）を含む。
【００３１】
一般的な局面の前述した実施形態の１つ以上と併用できる本発明の一般的な局面の一実施形態において、方法は、ピックアンドプレースによって能動光学部品を第１ウエハに配置するステップ（ｅ）を含む。
【００３２】
このステップは、たとえば、ピックアンドプレース機を用いて達成することができる。ピックアンドプレースは、ウエハレベルで適切に実施することのできる速い処理であり、高配置精度を提供する。
【００３３】
本発明の一般的な局面において、光電子モジュールは、基板部材と、光学部材と、前述の基板部材に搭載されている少なくとも１つの能動光学部品と、光学部材に含まれている少なくとも１つの受動光学部品とを含み、光学部材は、基板部材に直接または間接的に固定されている。
【００３４】
特定の実施形態において、光電子モジュールの縦方向のシルエットの外側境界（すなわち、光電子モジュールにより画定した外側の境界が横平面に投影した形状）は、実質的に長方形の形状を有する。これにより、製造性を増強することができる（上述した分割ステップ（ｄ）も参照）。
【００３５】
本発明は、本発明に係る方法に付随する特徴を有する光電子モジュールを含み、またその逆、本発明は、本発明に係る光電子モジュールに付随する特徴を有する方法を含む。
【００３６】
光電子モジュールの利点は、基本的に方法に付随する利点に対応し、またその逆、これらの方法の利点は、基本的に、光電子モジュールに付随する利点に対応する。
【００３７】
本発明の一般的な局面において、電化製品は、本発明に係る光電子モジュールを数多く備える。電化製品は、基板ウエハと称される第１のウエハと、光学ウエハと称される第２のウエハとを含む。基板ウエハは、数多くの基板部材を含み、光学ウエハは、数多くの光学部材を含む。
【００３８】
本発明の一般的な局面において、電子装置は、印刷回路板（ＰＣＢ）と、印刷回路板に搭載された本発明の光電子モジュールとを含む。このような電子装置は、たとえば、スマートフォンなどの携帯通信装置であってもよく、写真カメラのような写真装置であってもよい。
【００３９】
本発明の一般的な局面は、以下に説明する本発明のいくつかのより具体的な局面と組合わせることができる。
【００４０】
発明の第１の局面
本発明の第１の局面において、能動光学部品は、発光素子である。より具体的には、これらの電気光学部品は、少なくとも一般的に可視光および／または赤外光を出射する発光部材、たとえば発光ダイオード（ＬＥＤ）、レーザ、有機ＬＥＤ（ＯＬＥＤ）である。特に、光電子モジュールの各々は、ちょうど１つの発光部材を含む。
【００４１】
本発明の第１の局面において、第１のウエハは、通常、他の種類の能動光学部品を有しなく発光部材を有するように提供される。したがって、通常、光電子モジュールには、他の種類の能動光学部品が含まれず、含まれたのは、発光部材である。
【００４２】
たとえば、光電子モジュールは、フラッシュモジュールであり、すなわち、コンパクト写真カメラ、またはスマートフォンや携帯通信装置などの携帯通信装置に設けられた写真撮影時に使用される閃光を出射する部材である。したがって、製造された装置は、前述したもののような電子装置であってもよい。光電子モジュールがフラッシュモジュールである場合には、発光部材は、通常、現代の写真カメラやスマートフォンに使用されるＬＥＤなどのような、高強度短パルス発光体である。特に、「高輝度ＬＥＤ」と呼ばれるＬＥＤを使用することができる。
【００４３】
本発明の第１の局面において、受動光学素子はレンズ部材含むまたは通常のレンズ部材である。多くの用途において、ちょうど１つのレンズ部材は、光電子モジュールの各々に設けられている。１つのレンズは、たとえば、回折レンズであろうか、または屈折レンズであろうか、または回折および屈折レンズであろうかにかかわらず、各光電子モジュールに含まれ、通常高強度短パルス発光体のような１つの発光部材とともに割当てられる。レンズ部材は少なくとも１つのレンズ素子を含む。レンズ部材は、２つ以上の透明部から構成されることが可能である。
【００４４】
発明の第２の局面
本発明の第２の局面において、光学ウエハと光学部材とはそれぞれ、少なくとも特定の波長範囲に対して少なくとも実質的に不透明であって、不透明部または遮光部と称される少なくとも１つの部分と、少なくとも前述の特定の波長範囲に対して少なくとも実質的に透明であって、透明部と称される少なくとも１つの他の部分とを含む。なお、波長範囲という用語は、波長範囲が連続しているとは意味していない。通常、この特定の波長範囲は、数多くの能動光学部品の少なくとも一部にとって特徴的であり、特に数多くの能動光学部品のすべてにとって特徴的である。たとえば、光学検出器が能動光学部品となる場合、前述した特定の波長範囲は、検出器またはその一部によって検出可能な光の波長範囲であり、発光素子が能動光学部品となる場合、特定の波長範囲は、発光部材またはその一部によって発光可能の波長範囲である。本願において、「透明」または「不透明」に言及する場合、このような波長範囲を参照する。
【００４５】
遮光部は、１つ以上の透明部を保持（固定）するとともに、たとえば絞りとして機能することおよび／または光が好ましくない経路に沿って光電子モジュールから射出することまたは光電子モジュールに進入することを回避することによって、好ましくない光の伝播を阻害する。遮光部が光電子モジュールのハウジングの一部を形成するとき、特に後者として機能する。
【００４６】
光学部材が１つの遮光部と１つの透明部とを含むまたはそれらからなるであれば、十分である。しかしながら、光学ウエハは通常、数多くの透明部を含む。典型的には、１つの透明部は、各受動光学部品と関連付けられるが、遮光部は１つであれば十分である。よって、光学ウエハは１つの遮光部と数多くの透明部とを含めばまたはそれらからなるであればよい。
【００４７】
指定された透明性と不透明性とがそれぞれ、透光部と遮光部とをそれぞれ形成する材料に起因するであればよい。
【００４８】
具体的には、遮光部は、実質的に１つの材料、たとえば硬化された硬化性エポキシ樹脂のようなポリマー材料から作製することができる。特に、遮光部の製造に適した材料は、たとえば加熱または紫外線などの光照射によって熱硬化することのできる硬化性材料である。遮光部の性質が不透明であるため、多くの場合において、加熱は照射よりも適している。
【００４９】
遮光部は、たとえば複製によって、特にエンボス加工を用いて作製することができる。したがって、大量生産に適した安定な製造工程を提供するという点で非常に効率的である。エンボス加工を使用する例示的な複製工程において、構造化表面を液状粘性のまたは塑性変形可能な材料（複製材料）に入れてエンボス加工し、次いで、その材料をたとえば紫外線照射または加熱による熱硬化により硬化させ、その後、構造化表面を取外す。したがって、構造化表面のレプリカ（この場合、負のレプリカである）が得られる。複製に適した材料は、たとえば、エポキシ樹脂のような硬化性（より具体的には熱硬化性）のあるポリマー材料、または他の複製材料であり、すなわち硬化ステップ（より具体的には熱硬化ステップ）において液状の粘性または塑性変形可能な状態から固体状態に形質転換可能な材料である。複製は既知の技術であり、さらなる詳細は、ＷＯ２００５／０８３７８９Ａ２を参照する。
【００５０】
（光学ウエハのおよび光学部材の）遮光部は一体部品、特に複製によって形成された単位的部品として具現化されるであればよい。この場合、製造工程を簡略化するという点で非常に効率的である。
【００５１】
光学ウエハも光電子モジュールも、各透明部が横方向に遮光部によって囲まれるように設計されることができる。
【００５２】
光学ウエハの透明部および光学部材の透明部のそれぞれは通常、１つまたはいくつかの受動光学部品を含み、通常は１つである。
【００５３】
また、複製ステップは、透明部の製造に特に受動光学部品の製造に含まれてもよい。それに応じて、透明部は、少なくとも部分的に、硬化された硬化性材料から、特に硬化された熱硬化性材料、たとえばエポキシ樹脂などの高分子材料から作ることができる。
【００５４】
装置の製造、特にウエハスタックの製造または光電子モジュールの製造は、光学ウエハを製造するステップ（ｄ）を含んでもよい。ステップ（ｄ）は、実質的に不透明材料からなり、適所に透明部が位置すると想定されている開口を有するウエハ前駆体を提供するステップ（ｄ１）と、各々の開口において受動光学部品のうち少なくとも１つの受動光学部品、通常はちょうど１つの受動光学部品を作製するステップ（ｄ５）とを含んでもよい。
【００５５】
前述のように、「透明」および「不透明」という用語は、上記特定の波長範囲を参照する。
【００５６】
ステップ（ｄ１）およびステップ（ｄ５）は、光学ウエハを製造する特に効率的な方法に貢献することができる。
【００５７】
ウエハ前駆体は、少なくとも１つの遮光部を含むことができる。ウエハ前駆体の製造にはさまざまな方法がある。上述したように、ウエハ前駆体の製造方法の１つは、たとえば複製を使用する。この方法は非常に効率的である。複製の間に硬化ステップたとえば熱硬化ステップを行うとき、遮光部の不透明材料の不透明性が多くの場合に放射線硬化を達成するために使用される放射線に対して非透過性になるため、このステップはむしろ加熱により行われる。
【００５８】
複製の代わりに、ドリルまたはエッチングにより開口を作成する方法がある。ウエハ前駆体の製造に成形法を使用する場合、成形またはデュロプラスチック射出成形は、さまざまな用途に特に適した方法である。
【００５９】
透明部特に受動光学部品を製造するのには、少なくとも２つの方法がある。すなわちステップ（ｄ５）を実施することである。
【００６０】
たとえばレンズなどの受動光学部品がウエハ前駆体の開口に配置されるように、たとえば複製により、透明部または少なくとも受動光学部品を単位的部品として製造することができる。複製によってウエハの開口においてレンズを作製する方法は、たとえば米国特許２０１１／０４３９２３Ａ１に開示されている。
【００６１】
または、透明部または少なくとも受動光学部品を少なくとも２つの部分からなる部品として製造することができる。特に興味深いのは、まず、ウエハ前駆体の開口の各々に１つずつ設けられた透明素子を含む半完成品を製造する。透明素子の各々は、少なくともほぼ平坦な２つの対向面を有する。この２つの対向面は、実質的に縦方向に垂直である。
【００６２】
したがって、その場合において、ステップ（ｄ）は、透明材料で開口を少なくとも部分的に充填するステップ（ｄ２）を含む。
【００６３】
典型的に、ステップ（ｄ２）を行なう間に、透明材料は液状または粘性である。ステップ（ｄ２）に続いて、透明材料を硬化させるステップ（ｄ３）が行なわれる。特に、硬化は、熱硬化を含む。
【００６４】
ステップ（ｄ２）は、ディスペンサを用いて行うことができる。ディスペンサを用いることによって、１つまたはいくつかの開口が一度に充填されることができる。ディスペンサの代わりに、たとえばスクリーン印刷工程に使用されるようなスキージ工程を使用してもよい。
【００６５】
一般的に、このようにして得られた半完成品は、ウエハを貫通する穴を持たない（または少なくとも透明部がある領域にウエハを貫通する穴がない）ウエハである。ウエハ前駆体の形状、より具体的には（縦断面で可視の）縦方向における波形状または突起の形状に応じて、受動光学部品の形成を実行する前に、前述のようにして得られたウエハに研磨ステップを適用することは、可能でありかつ有用である。
【００６６】
ステップ（ｄ２）およびステップ（ｄ３）が行われる場合には、ステップ（ｄ５）は、数多くの透明素子の各々の上面に少なくとも１つの光学構造を作ることによって数多くの受動光学部品を製造するステップ（ｄ５５）を含んでもよい。
【００６７】
通常、少なくとも１つの光学構造は、光を影響するため、具体的には光を導くため、より具体的には光の方向を変えるために設けられる。たとえば、このような光学構造はレンズ素子であるかまたはレンズ素子を含み得るが、内部全反射（ＴＩＲ）を利用するプリズム、ミラーおよび光学構造も設けられてもよい。
【００６８】
ステップ（ｄ５５）は、たとえば複製を使用して、たとえばエンボス加工を使用して、たとえば上記でより詳細に記載された遮光部を作るための方法で、実施されてもよい。
【００６９】
理解されるように、本発明の第２の局面は、本発明の第１の局面と組合わせることができる。これにより、たとえば、出射された光が所望の経路のみに沿って光電子モジュールから離れるように支援される。
【００７０】
本発明の第３の局面
基板ウエハは、（少なくとも能動光学部品が搭載されている領域において）不透明であってもよい。本発明の第３の局面において、能動光学部品はそれぞれ、光学活性表面を有し、基板ウエハは、少なくとも部分的に透明であり、能動光学部品は、それぞれの光学活性表面が基板ウエハが透明である場所で基板ウエハに面するように、基板ウエハ上に搭載されている。「部分的に透明」という用語は、上述特定の波長範囲を参照する。光学活性表面は、能動光学部品の表面の一部を指し、そこから光が能動光学部品に進入して能動光学部品により検出され、またはそこから光が能動光学部品によって出射される。後者の場合に、光電子モジュールは、ＬＥＤなどの発光体である。前者の場合に、光電子モジュールは、フォトダイオードなどの検出器である。
【００７１】
このようなウエハは、たとえば、ガラス板または透明高分子材料の板などの透明板であってもよい。一部の用途では、基板全体が透明ではなくその一部が透明である場合、有用であり得る。このことは、光をより正確に導くためおよび好ましくない光の伝播を抑制するために、たとえば、特定の光錐を生成するためまたは予め定められた入射方向のみからの光を検出するために、有用であり得る。たとえば、基板ウエハは、上記で本発明の第２の局面において説明した光学ウエハと同様に実現することができる。第２の局面において光学ウエハまたはその製造に関して説明したものはすべて、第３の局面の基板ウエハに適用することができる。しかしながら、基板ウエハが受動光学部品を含むことは、（必須ではなく）任意である。上述したものと同様に、基板ウエハは、たとえばウエハ前駆体であってもよい。能動光学部品の光学活性表面が割当てられた基板ウエハにおける穴または開口が透明部とし、これらの穴または開口を囲む不透明部が能動光学部品から出射されたまたは能動光学部品により検出可能な光を遮断する。また、上述したものと同様に、基板は、たとえば半完成品であってもよい。能動光学部品の光学活性表面が割当てられた基板ウエハにおける透明素子が透明部とし、穴または開口を囲む不透明部が能動光学部品から出射されたまたは能動光学部品により検出可能な光を遮断する。
【００７２】
基板ウエハは、印刷回路板（ＰＣＢ）または印刷回路板組立体（ＰＣＢＡ）として具現化されてもよい。これは、本発明の第３の局面と第４の局面（下記参照）の組合わせであろう。ＰＣＢまたはＰＣＢＡには、たとえば、ドリルでたとえば穴をあけてもよい。これらの穴は、能動光学部品の光学活性表面が割当てられた透明部とする。能動光学部品の電気接点とＰＣＢの電気接点との間には、電気接続を設けてもよい。このような電気接続は同時に、ＰＣＢに能動光学部品を固定する機械的接続として機能することができる。この場合、能動光学部品を基板ウエハに固定することに寄与する更なる設備は必要であるだろう。ＰＣＢを実質的に作る（金属を無視する）印刷回路板（ＰＣＢ）材料は、たとえば、剛性または可撓性のＰＣＢ材料、繊維強化または非繊維強化材料であってもよく、ＦＲ４またはポリイミドなどのエポキシ系材料であってもよい。
【００７３】
能動光学素子は、ピックアンドプレースによって、たとえばエレクトロニクス産業において知られているピックアンドプレース機を用いて、基板ウエハ上に配置することができる。
【００７４】
たとえば接着によって、特に熱硬化性および／またはＵＶ硬化性接着剤を用いて、能動光学部品を基板ウエハに接合することにより、能動光学部品を基板ウエハに固定することができる。能動光学部品を基板ウエハに接続する電気接続は必要ではなく任意である。たとえば、能動光学部品は基板ウエハに電気的に接続されていない場合に、能動光学部品の電気接点は製造された光電子モジュールの電気接点として使用されてもよく、または、たとえば、別の（追加のまたは第２の）基板ウエハは、能動光学部品を電気的に接触させるために設けられてもよい。
【００７５】
後者の場合、追加の（第２の）基板ウエハは、製造される光電子モジュールの電気接点とすることができる。なお、場合によっては、たとえば、追加（第２の）基板ウエハへの電気接続が半田付けによって達成される場合、適切な固定によって達成可能な第１の基板ウエハへの能動光学部品の（横方向の）位置決め精度は、固定によって達成可能な第２の基板ウエハへの精度により、はるかに優れることができる。この場合、通常、第１の基板ウエハへの固定を作成した後（または少なくとも前ではなく）、第２基板ウエハへの電気接続を作成する。
【００７６】
追加の（第２の）基板ウエハは、たとえばＰＣＢまたはＰＣＢＡであってもよい。たとえば、受動光学部品の設置面積が製造される光電子モジュールに要求された面積よりも小さい場合、追加の基板ウエハは、設置面積を広げるために使用され、光電子モジュールに要求された設置面積を提供することができる。
【００７７】
本発明の第３の局面において光電子モジュールの電気接点に関する詳細およびその応用を見出すことが可能な能動光学部品を電気的に接触させる実現性の詳細は、本発明の第４の局面とともに、以下で説明される。
【００７８】
理解されるように、本発明の第３の局面は、本発明の第１および／または第２の局面と組合わせることができる。
【００７９】
上記でウエハを一般的に説明してきたが、同様または類似の考えが、光電子モジュールの対応する部材におよび説明したウエハを用いて作製された光電子モジュールに適用することは、容易に理解される。また、このことは、以下の内容にも適用される。
【００８０】
発明の第４の局面
本発明の第４の局面において、能動光学部品と基板ウエハとの間には、電気接続が存在する。よって、基板ウエハを用いて能動光学部品の電気接続を配線し直すことは、できるようになる。基板ウエハは、たとえばＰＣＢまたはＰＣＢＡであってもよい。通常、基板ウエハは、主に不透明材料から作れる。本発明の第３の局面とともに、たとえば基板ウエハに設けられた穴または開口の形で、基板ウエハに透明部を設けることができる。
【００８１】
特に能動光学部品がパッケージ化された部品として提供される場合に、能動光学部品と基板ウエハとの間の電気接続は、たとえばスルーホール実装または表面実装技術（ＳＭＴ）によって達成することができる。しかしながら、特に能動光学部品がベアチップとして提供される場合に、能動光学部品と基板ウエハとの間の電気接続は、たとえばワイヤボンディングまたはフリップチップ技術または導電性接着剤、もしくはこれらのうち２種以上の組合わせを用いて達成することができる。たとえば、導電性接着剤を用いてベアチップの非発光側を基板ウエハに電気的および機械的に接続し、ワイヤボンディングによってベアチップの反対側（発光側）と基板ウエハとの間に電気接続を作成する。
【００８２】
本発明の他の局面にも同様に、光電子モジュールの電気接点は、たとえば付属の半田ボールを有するまたは有しない接触パッド、またはリードフレーム接触の形で提供されてもよい。本発明の他の局面に存在する場合も同様に、基板ウエハの電気接点は、たとえば接触パッドまたは貫通孔の形で提供されてもよい。
【００８３】
一般に、本発明の第４の局面は、上記の本発明の第１および／または第２および／または第３の局面と組合わせることができる。（第３の局面の可能な実施形態である）完全に透明な基板ウエハと第４の局面との組合わせに関して、留意すべきことは、電気接点を達成するために、たとえばＩＴＯ（酸化インジウムスズ）、ＺｎＯ（酸化亜鉛）またはＳｎＯ２（酸化スズ）などの透明導電性酸化物を透明材料として提供することが可能であることである。
【００８４】
本発明の第４と第３の局面との組合わせにおいて、既に本発明の第３の局面とともに上記で説明したように、２つの基板ウエハを設けてもよい。具体的には、まず能動光学部品を第３の局面に係る基板（透明であるかまたは透明部を有する）の上面に配置して（機械的に）固定し、その結果、第４の局面に係る基板への電気接続を達成することができる。しかしながら、その順序を逆にすることも可能である。すなわち、まず能動光学部品を第４の局面に係る基板の上面に配置して、能動光学部品と基板との間に電気接続を構築し、その後、能動光学部品を（少なくとも部分的に透明な）第２の基板に（機械的に）固定する。さらに、能動光学部品を基板のいずれか１つの上面に配置し、たとえば加熱により、たとえば（第３の局面に係る基板への機械的接続を形成するために）接合材料を熱硬化させるとともに半田ペーストを溶融させまたは（第４の局面に係る基板への電気接続を形成するために）導電性接着剤を硬化させることによって、両方の接続（一方の基板ウエハへの電気接続および他方の基板ウエハへの機械的接続）を実質的に同時に構築することも可能である。
【００８５】
能動光学部品が２つの基板ウエハに接続されている実施形態おいて、たとえば前述したように、能動光学部品は通常、２つの基板ウエハの間に配置される。すなわち、能動光学部品が単に機械的に固定される一方の基板ウエハは、能動光学部品の活性表面が通常面する能動光学部品の一方側に配置され、（能動光学部品が電気的に接続されている）他方の基板は、（前述の一方側と反対し、能動光学部品の活性表面が面している）能動光学部品の他方側に配置される。
【００８６】
より一般的には、（本発明の第３の局面に係る）一方の基板ウエハへの（機械）固定は、省略することができ、よって、対応するウエハスタックにおいて、能動光学部品は、前述した一方の基板ウエハと第４の局面に係る基板ウエハとの間に配置され、後者に電気的に接続される。この電気接続は、通常各基板ウエハへの機械的接続も提供する。また、この電気接続は、たとえば能動光学部品を本発明の第４の局面に係る基板に接合する付加的な機械的固定によって、補われてもよい。
【００８７】
発明の第５の局面
本発明の第５の局面において、基板ウエハと光学ウエハとの間に特定の（通常予め定義されたともいう）距離を確保手段が提供される。一般的には、能動および受動光学部品の正確な縦方向の配置は、高品質の光電子モジュールを製造するために重要である。（なお、横方向の整列も重要であるが、本特許出願において提案されているように、これは通常、ウエハスケールで製造するときに熟達することができる）。より具体的には、これらの手段は、不透明材料から実質的に作られることによって少なくとも部分的に不透明にすることができる。このような不透明材料は、特に高分子材料および／または硬化した硬化性材料、たとえばエポキシ硬化性樹脂などの硬化性材料にすることができる。これにより、本発明の第２の局面に関連して説明した少なくとも１つの遮光部を有する光学ウエハと同様に、好ましくない方向における光の伝播を抑制することができる。
【００８８】
さらに、前述した手段は、製造される光電子モジュールのハウジングの一部を構成してもよい。よって、光電子モジュールの製造を大幅に向上させおよび／または簡略化させることができる。この場合、前述した手段に（少なくとも部分的な）不透明性を与えると、特に有用であり得る。
【００８９】
このような手段を提供する方法は、少なくとも３つがある。第１の方法として、これらの手段は、スペーサウエハと呼ばれるウエハの形で提供される。スペーサウエハは、基板ウエハまたは光学ウエハとは同一ではない。このようなスペーサウエハは、たとえばエポキシ樹脂などの熱硬化された熱硬化性材料のような硬化された硬化性材料から実質的に作ることができる。このようなスペーサウエハは、複製を用いて製造することができる。第２の方法として、これらの手段は、光学ウエハの一部を構成する。これにより、製造ステップ数を最小限にすることができる。その理由は、光学ウエハとスペーサウエハとが同一部品であるのように、たとえば光学ウエハの少なくとも一部とスペーサウエハの少なくとも一部（通常、スペーサウエハの全体）とが単位的部品を形成するためである。第３の方法として、これらの手段は、基板ウエハの一部を構成する。これにより、製造ステップ数を最小限にすることもできる。その理由は、基板ウエハとスペーサウエハとが同一部品であるのように、たとえば基板ウエハの少なくとも一部とスペーサウエハの少なくとも一部（通常、スペーサウエハの全体）とが単位的部品を形成するためである。光学ウエハまたは基板ウエハと同一ではないスペーサウエハが提供された場合、言うまでもなくそのスペーサウエハは、製造された光電子モジュールの（外側）ハウジングに寄与する上記の実現性および好ましくない光の伝播を遮断することなどのさらなる機能を果たすことができる。
【００９０】
光学ウエハまたは基板ウエハの製造中に、有用であり得るかつ製造ステップを節約することのできる複製が使用される。複製によって、たとえば単位的部品を製造することができる。この単位的部品は、たとえば熱硬化した不透明な複製材料で作られており、光学ウエハまたは基板ウエハの少なくとも１つの遮光部（不透明部）を構成し、さらに能動光学部品と受動光学部品との間の距離（通常は縦距離）を規定するための手段を構成する。
【００９１】
発明の第６の局面
本発明の第６の局面は、少なくとも１つの光電子モジュールを含む装置を製造する際、より詳細には光電子モジュールを製造する際の製造ステップ順に係る。推奨は、まず、光学ウエハと、受動光学部品と能動光学部品との間に特定の縦距離を確保するための手段とを提供する。これらの手段またはこれらの手段の少なくとも一部は、光学ウエハに含まれてもよくまたは別個の部品特に単位的部品としてもよく、および／または、これらの手段は、２つ以上の部分から構成される。このウエハが設けられたときのみ、または光学ウエハおよび前述の手段が少なくとも少なくとも２つの別個の部品を含む場合、対応する２つ以上のウエハが互いに対して設けられ、固定される場合、能動光学部品は、前述の手段に取付けられまたは前述の手段に搭載される。通常、たとえばピックアンドプレース工程を用いて個別に、またはウエハ毎に、すなわち、多くの能動光学部品が実装されたウエハを取付けることにより、能動光学部品を前述の手段に取付けまたは前述の手段に搭載する。
【００９２】
したがって、受動光学部品に対して能動光学部品の整列精度を特に高くすることができる。
【００９３】
この第６の局面は、本発明の第１〜第５の局面のうちの１つ以上の局面と組合わせることができる。
【００９４】
たとえば、フラッシュモジュールのような発光光電子モジュール（本発明の第１の局面参照）は、光学ウエハを含むように製造される。この光学ウエハは部分的に不透明（本発明の第２の局面参照）であってもよい。実質的に不透明であり得るスペーサウエハ（本発明の第５の局面参照）が用意され、この光学ウエハに取付けられる。または、この光学ウエハ自身はスペーサウエハのように機能する突起を備えている。
【００９５】
その後、能動光学部品が（通常電気的ではなく機械的に）取付けられる。取付けは、ピックアンドプレースによって能動光学部品を光学ウエハに配置することにより、スペーサウエハが層在する場合スペーサウエハに配置することにより、達成することができる。または、別のウエハ、すなわち能動光学部品が配置されている基板ウエハを光学ウエハにまたはスペーサウエハに取付けることにより、能動光学部品を取付ける。この場合、能動光学部品は、その追加のウエハ（基板ウエハ）に予め搭載または取付けられている。
【００９６】
また、能動光学部品を取付けるための別の実現は、別のウエハ、すなわち基板ウエハを光学ウエハに、スペーサウエハが層在する場合スペーサウエハに、能動光学部品を取付け、次に、能動光学部品を基板ウエハ上に搭載することにより達成される。他のウエハに基板ウエハを取付けるステップと基板ウエハに能動光学部品を取付けるステップとは、たとえば（たとえばリフロー炉で）加熱により、実質的に１つの処理ステップとして同時に行うことも可能である。加熱は、たとえば接着剤および／または半田などの接合材を硬化または熱硬化させる。
【００９７】
基板ウエハを取付ける時系列および能動光学部品を基板ウエハに取付ける時系列にかかわらず、基板ウエハを完全にまたは部分的に透明にすることができ（本発明の第３の局面参照）、たとえばＰＣＢまたはＰＣＢＡである基板（本発明の第４の局面参照）との電気接続を能動光学部品に与えることができ、または、能動光学部品と基板ウエハの間に電気接続を設けずにすることもできる。特に後者の場合、能動光学部品の電気接点は、同時に光電子モジュールの電気接点として機能してもよい。
【００９８】
したがって、本発明の第６の局面は、以下の方法を提供することができる：
本発明の一般的な局面に係る方法であって、ウエハスタックは、能動光学部品と受動光学部品との間特定の距離を確保するための手段を含み、
前述の手段が光学ウエハに含まれる場合、この方法は、
光学ウエハを提供するステップ（ｆ）を含み、光学ウエハは、能動光学部品と受動光学部品との間に特定の距離を確保するための縦突起を前述の手段として備え、
能動光学部品をウエハスタックに取付けるステップ（ｈ）を含み、ステップ（ｈ）は、前記ステップ（ｆ）が実行される前に実行されず、
前述の手段が光学ウエハに含まれない場合、この方法は、
光学ウエハを提供するステップ（ｇ１）と、
能動光学部品と受動光学部品との間に特定の距離を確保するための少なくとも１つのスペーサウエハを前述の手段として提供するステップ（ｇ２）と、
能動光学部品をウエハスタックに取付けるステップ（ｈ′）とを含み、
ステップ（ｈ）は、ステップ（ｇ１）とステップ（ｇ２）とが実行される前に実行されない。
【００９９】
さらなる実施形態および利点は、従属請求項および図面から明らかになる。
【図面の簡単な説明】
【０１００】
【図１】光電子モジュールの断面図である。
【図２】図１のモジュールの構成要素のさまざまな断面図である。
【図３】図１のモジュールを数多く製造するためのウエハスタックを形成するためのウエハの断面図である。
【図４】図１のモジュールを数多く製造するためのウエハスタックの断面図である。
【図５】製造ステップを図示する断面図である。
【図６】製造ステップを図示する断面図である。
【図７】製造ステップを図示する断面図であって、半完成品を示す図である。
【図８】製造ステップを図示する断面図である。
【図９】光学ウエハを図示する断面図である。
【図１０】構造化表面を有する半完成品の断面図である。
【図１１】光電子モジュールの製造を示すウエハスタックの断面図である。
【図１２】光電子モジュールを示す断面図である。
【図１３】光電子モジュールを示す断面図である。
【図１４】光電子モジュールを示す断面図である。
【図１５】光電子モジュールを示す断面図である。
【図１６】光電子モジュールの製造を示すウエハスタックの断面図である。
【図１７】光電子モジュールを示す断面図である。
【図１８】光電子モジュールを示す断面図である。
【図１９】光電子モジュールを示す断面図である。
【発明を実施するための形態】
【０１０１】
発明の詳細な説明
以下、本発明を実施例および添付図面を用いてより詳細に説明する。
【０１０２】
図面に使用される参照符号およびそれらの意味は、参照符号のリストの中にまとめられている。説明される実施形態は、例として意図されており、本発明を限定してはならない。
【０１０３】
図１は、たとえば写真カメラまたはスマートフォンに使用することのできるフラッシュ光モジュールのような発光モジュールである光電子モジュール１の概略断面図を示している。図示の断面は、縦方向の断面図である。図２は、図１のモジュールの構成要素のさまざまな概略側断面図を示している。図１において、これらの側面断面の近似位置は、ｓ１〜ｓ５および破線によって示されている。ｓ４とｓ５に対し、矢印で観察方向を示している。
【０１０４】
モジュール１は、用語定義において「縦方向」と定義された方向に互いに堆積されたいくつかの構成要素（Ｐ、Ｓ、Ｏ、Ｂ）を含む。この縦方向は、ｚ方向（図１参照）に対応する。縦方向（ｚ方向）に垂直なｘ−ｙ平面（図２参照）における方向は、「横方向」と称される。
【０１０５】
モジュール１は、互いに堆積された基板部材Ｐと、スペーサ部材Ｓと、光学部材Ｏと、バッフル部材Ｂとを含む。基板部材Ｐは、たとえば能動光学部品Ｅが搭載される印刷回路板（ＰＣＢ）であるまたはそれを含む。より具体的には、印刷回路板は、インターポーザと称されてもよい。具体的に、能動光学部品Ｅは、光を出射する特に閃光（高強度の短パルス光）を出射する発光ダイオード（ＬＥＤ）のような発光部材Ｅであってもよい。発光部材Ｅの電気接点（図１には図示せず）は、モジュール１の、半田ボール７が取付けられている外側に電気的に接続される。半田ボール７の代わりに、基板部材Ｐに接触パッドを設けることも可能であろう。これらの接触パッドには、半田ボールや導電性接着剤を設けなくてもよく、または後で半田ボールや導電性接着剤を設けてもよい。
【０１０６】
このように、モジュール１は、たとえば表面実装技術（ＳＭＴ）を用いて、他の電子部品（図示せず）に隣接して印刷回路板９の上に搭載することができる。印刷回路板９は、携帯通信装置または写真カメラのような電子装置１０の構成要素であってもよい。特に、装置１０は、スマートフォンであってもよい。モジュール１は、非常に小さいサイズで製造することができるため、このような用途に特に適している。
【０１０７】
スペーサ部材Ｓは、発光部材Ｅが配置される開口４を有している。発光部材Ｅは、横方向でスペーサ部材Ｓにより囲まれる。
【０１０８】
スペーサ部材Ｓは、いくつかの機能を果たすことができる。スペーサ部材Ｓは、（縦方向の延在によって）基板部材Ｐと光学部材Ｏとの間の特定の距離を確保することができ、発光部材Ｅから光学部材Ｏを介してモジュール１の外部までの特定の光路を達成することに寄与する。また、スペーサ部材Ｓは、モジュール１の外壁の一部を形成する。特に、スペーサ部材Ｓは、特定の波長範囲を有する光に対して少なくとも実質的に不透明である場合、より具体的に発光部材Ｅによる発光可能な波長の光に対して少なくとも実質的に不透明である場合、モジュール１の一部から好ましくない光の出射を抑制することに寄与する。
【０１０９】
典型的には、隔離部材Ｓは、ポリマー材料、特に硬化された硬化性ポリマー材料、より具体的にエポキシ樹脂などの熱硬化された熱硬化性ポリマー材料から形成される。
【０１１０】
光学部材Ｏは、遮光部ｂと透明部ｔとを含む。後者は、発光部材Ｅからの発光がジュール１から出射することを可能にする。
【０１１１】
遮光部ｂは、たとえば適当な（ポリマー）材料から作られることによって、特定の波長範囲の光に対して、具体的には前述した特定の波長範囲の光に対して、実質的に不透明である。透明部ｔは、受動光学部品Ｌを含み、より具体的および例示的には、光を案内するため、より具体的には発光部材Ｅからの発光を（所望の方向に）案内するためのレンズ部材を含む。図１に示すように、レンズ部材Ｌは、たとえば透明素子６に密着する２つのレンズ素子５を含んでもよい。透明素子６は、遮光部ｂを形成する光学部材Ｏの部分と同様な縦寸法を有することができ、したがって遮光部ｂを形成する光学部材Ｏの部分が透明素子６とともに（完璧に近い）平坦な固体平板形状を形成する。レンズ素子５は、屈折（図１参照）および／または回折によって光の方向を変える。たとえば、レンズ素子は、（図１に示すように）全体的に凸形状を有してもよく、またはたとえば全体的または部分的に凹形状の異なる形状に形成されてもよい。
【０１１２】
光電子モジュール１の任意部材であるバッフル部材Ｂは、光電子モジュール１によって出射された光の円錐を規制することを可能にし、絞りとして機能することができる。バッフル部材Ｂは、受動光学部品Ｌを機械的に保護することもできる。通常、バッフル部材Ｂは、開口としてまたは透明材料を用いて具現化することのできる透明領域３を有する。透明領域３の外側のバッフル部材Ｂは、特定の波長範囲または前述した特定の波長範囲のいずれの波長を有する光を実質的に減衰または遮断する材料から作ることができ、またはそのような性質を有する被膜を設けることができる。後者の場合、通常は被膜の作製がより複雑である。言うまでもなく、バッフル部材Ｂの形状、より正確には透明領域３の形状は、図１および２に示されているものとは異なることができ、たとえば円錐状の形状または角錐台の形状を形成してもよい。
【０１１３】
透明領域３の横方向の形状のみならず、透明部ｔおよび開口４の横方向の形状も、円形にする必要がなく、たとえば多角形または丸めたコーナーを有する長方形などの他の外観を有してもよい。
【０１１４】
モジュール１は、光電子部品であり、より正確にはパッケージ化された光電子部品である。モジュール１の縦側壁は、部材Ｐ、Ｓ、ＯおよびＢによって構成される。底壁は、基板部材Ｐで構成される。上壁は、バッフル部材Ｂによって、またはバッフル部材Ｂと光学部材Ｏとともによって構成される。
【０１１５】
図２からよく見られるように、上記の理由でハウジング部品と称される４つの部材Ｐ、Ｓ、Ｏ、Ｂはすべて、横方向で実質的に同一の形状と寸法とを有する。このことは、以下で図３、４を参照しながらより詳細に説明されるように、モジュール１を製造することが可能かつ非常に効率的な方法に関与している。これらのハウジング部品Ｐ、Ｓ、ＯおよびＢは、略塊状または略板状、より一般的には略直方体形状であり、穴または開口（たとえばバッフル部材Ｂおよびスペーサ部材Ｓ）または突起（たとえば光学部材Ｏ）を有してもよい。
【０１１６】
上記に説明したものと同じ原理にしたがって設計され、発光部材Ｅの代わりにまたは発光部材Ｅに加えて、１つ以上の電気部品または電子部品、具体的には１つ以上の追加的光源または１つ以上の集積回路または光検出器のような能動光学部品を含むモジュールを形成することは、可能である。
【０１１７】
モジュール中に含まれる能動光学部品（図１の例では発光部材Ｅ）は、パッケージ化された電子部品でもよく、パッケージ化されていない電子部品でもよい。基板部材Ｐを電気的に接触させるため、ワイヤボンディングまたはフリップチップ技術または導電性ペーストあるいは接着剤を用いる接触技術、または任意の他の公知の表面実装技術、もしくは従来のスルーホール技術でさえ使用してもよい。より多くの詳細および実施例は、他の図面と併せて以下に説明する。
【０１１８】
本特許出願に記載された光電子モジュール１の一般的な想定寸法は、横方向において１５ｍｍ未満、より一般的には０．５ｍｍ〜８ｍｍ、より具体的には１ｍｍ〜５ｍｍであり、縦方向において３０ｍｍ未満、より一般的には１ｍｍ〜１５ｍｍ、より具体的には１．５ｍｍ〜１０ｍｍである。なお、通常他の寸法を適用することも可能である。
【０１１９】
図３は、図１のモジュールを数多く製造するためのウエハスタックを形成するためのウエハの概略断面図を示している。言うまでもなく、後続の分割ステップを用いて（実質的に）完全にウエハスケールでこのようなモジュールを製造することができる。図３および４は、３つのモジュール１用の供給品のみを示しているが、通常、１つのウエハスタック２において、横方向で１０個以上、より多くで３０個以上、さらに多くで５０個以上のモジュール用のものを提供することができる。一般的に、各ウエハは、横方向の寸法が少なくとも５ｃｍまたは１０ｃｍから３０ｃｍまたは４０ｃｍまたは５０ｃｍまでであり、縦方向の（部品が基板ウエハＰＷに配置されていないときに測定される）寸法が少なくとも０．２ｍｍまたは０．４ｍｍまたは１ｍｍから６ｍｍまたは１０ｍｍまたは２０ｍｍまでである。なお、通常他の寸法を適用することも可能である。
【０１２０】
４つのウエハは、図１に示されたように、基板ウエハＰＷ、スペーサウエハＳＷ、光学ウエハＯＷおよびバッフルウエハＢＷを含む数多くのモジュールを製造するために十分である。各ウエハは、対応するモジュール１（図１および２参照）に含まれる、数多くの対応する部材を備える。通常、これらの部材は、矩形格子上に配置され、典型的にはウエハ分割ステップのため、互いに少し離れている。
【０１２１】
基板ウエハＰＷは、標準的なＰＣＢ材料から作られ、一方の面に数多くの受動光学部品Ｅが搭載され、他方の面に半田ボール７が設けられているＰＣＢとして具体化されることができる。発光部材Ｅは、エレクトロニクス産業においてよく知られているピックアンドプレース機を用いてピックアンドプレースによって、基板ウエハ上に配置することができる。
【０１２２】
モジュール１の好ましくない部分からの光の出射を最大限に抑制するために、言うまでもなく、透明部ｔおよび透明領域３などの透明領域を除いて、ウエハＰＷ、ＳＷ、ＯＷおよびＢＷのそれぞれは、発光部材Ｅによって出射された光に対し実質的に不透明である材料から実質的に作ることができる。
【０１２３】
ウエハＳＷ、ＢＷおよびウエハＯＷの一部または全体は、複製によって製造することができる。例示的な複製工程おいて、構造化表面を液状の粘性または塑性変形可能な材料（複製材料）に入れてエンボス加工し、次いで、その材料をたとえば紫外線照射または加熱による熱硬化により硬化させ、その後、構造化表面を取外す。したがって、構造化表面のレプリカ（この場合、負のレプリカである）が得られる。複製に適した材料は、たとえば、エポキシ樹脂のような硬化性（より具体的には熱硬化性）のあるポリマー材料または他の複製材料であり、すなわち硬化ステップ（より具体的には熱硬化ステップ）において液状の粘性または塑性変形可能な状態から固体状態に形質転換可能な材料である。複製は既知の技術であり、さらなる詳細は、ＷＯ２００５／０８３７８９Ａ２を参照する。
【０１２４】
光学ウエハＯＷを製造する場合、エンボス加工または成形による複製法を用いて不透明部（遮光部ｂ）を得ることができる。また、ドリルまたはエッチングによって透明部ｔである穴を提供することも可能であろう。
【０１２５】
続いて、このようにして得られたウエハ前駆体にレンズ部材Ｌを設けることにより、光学ウエハＯＷを製造する。この工程は、たとえば米国出願２０１１／００４３９２３Ａ１に記載されるように、たとえばレンズ部材Ｌを単位的部品として形成する複製によって達成することができる。レンズ部材Ｌは、図５〜９を参照して説明する異なる方法で製造することもできる。図５〜８は、対応する製造工程を概略的に図示する断面図である。そのうち、図７は、参照番号ｏｗにより表示された半完成品を示している。図９は、得られた光学ウエハＯＷの断面を示す概略図である。
【０１２６】
この特定の製造方法は、図７に示さらた半完成品ｏｗに基づいている。その半完成品は、透明部ｔが定義される穴を有する透明素子６を含むウエハである。この方法は、レンズ部材Ｌの各々が少なくとも１つの先端を形成し、それらの先端が光学ウエハＯＷの縦方向の断面の外側に位置している場合に、特に有用である。このような半完成品ｏｗは、（通常の場合、および図１〜９に示される例の場合に）透明部ｔにおいてウエハを貫通する穴を有しなく、実質的に波形を有しなくまたは浅い表面波形しか有しない平坦な円盤状ウエハである。通常、これらの表面波形は、凹んであり、すなわち遮光部ｂにより画定されたウエハ表面を越えて延在しない。
【０１２７】
そのような半完成品ｏｗ（図７参照）は、透明部ｔが配置される穴または開口１１（図５参照）を有する平坦なウエハ前駆体８（一般的には１つの材料で作られる）から出発し、その後、たとえば分注工程（図６参照）を用いて、穴１１を透明材料Ｔで充填することにより得られる。充填に関しては、たとえばフリップチップ技術などにおいてアンダーフィル工程に使用されたように、ディスペンサを用いてウエハ前駆体８１の穴１１を一つずつ充填する手法、または、たとえば（スクリーン印刷に知られているような）スキージ工程またはいくつかの材料Ｔを出力する中空針を有するディスペンサを用いていくつかの穴１１を一度に充填する手法がある。
【０１２８】
たとえば、分注工程の間（図６参照）に、ウエハは、たとえばシリコーンからなる支持層１２のような平坦な支持体上に配置することができる。安定性の理由のため、支持層１２はさらに、たとえばガラス板のような支持基板１３の上に支持される。分注された材料Ｔの中に気泡または空洞が形成すると、製造されるレンズ部材Ｌの光学特性を劣化させるので、気泡または空洞の形成防止に注意を払わなければならない。分注工程は、たとえば以下のように行なうことができる。たとえば、ウエハと下にある支持層１２により形成された境界（またはその境界に近い位置）に近づくように材料Ｔを出力する中空針を適切に案内することによって、その境界からウエハ材料の湿潤を開始する。続いて、分注された材料は、たとえば加熱またはＵＶ放射線によって熱硬化され、硬化した透明材料を与える。よって、図７に示された半完成品が得られる。
【０１２９】
このようにして形成可能の凸状メニスカスは、研磨によって平坦化され、ウエハの厚さに合わせた平行表面を有する透明素子６を得ることができる。研磨は、ウエハの厚さを所定値に減少するように行うことが可能である。そして、レンズ素子５は、複製によって、半完成品ｏｗの片側または両側（上下側）に適用される。図８は、レンズ素子５を片面のみに設けられた状態を示している。透明素子が凹状メニスカスである場合、複製は、これらの上面で行うことができる。しかし、この場合、適用される複製材料の量は、それに応じて調整する必要がある。別の方法として、研磨中に透明素子６の表面だけでなく遮光部ｂも平坦化されるよう、研磨をしてもよい。
【０１３０】
図９は、上述のようにして得られた、両側にレンズ素子５が設けられた光学ウエハＯＷを示している。
【０１３１】
多くの場合には、ウエハスタック内に隣接する２つ以上のウエハの機能を一枚のウエハに複合させる（「複合ウエハ」）ことができる。たとえば、適切に設計された光学ウエハが、図３、４に示されている以下のウエハ、すなわち、ウエハＯＷおよびＳＷ、またはウエハＯＷおよびＢＷ、またはウエハＢＷ、ＯＷおよびＳＷを置換えることができる。
【０１３２】
したがって、特定の種類の光学ウエハを形成してスペーサウエハＳＷを機能的に置換えるという意味で、スペーサウエハＳＷがすでに時代遅れであろう。スペーサウエハＳＷの特徴および機能を包含する光学ウエハ（「複合光学ウエハ」）を形成することができる。このような「複合光学ウエハ」の製造は、特定のウエハ前駆体と、特定のウエハ前駆体に基づいて製造された特定の半完成品とを用いて達成することができる。このようなウエハ前駆体および半完成品はそれぞれ、少なくとも１つの構造化表面を有する。この構造化表面は、通常、ウエハ前駆体および半完成品の各々に設けられる透明素子６の両表面の少なくとも一方から縦方向に延在する突起を有する。
【０１３３】
図１０は、このような、１つの構造化表面を有する半完成品ｏｗ’（「複合半完成品」）の例を概略的に示している。半完成品が図１に示されるモジュールの製造に使用される場合、その様子は図１０から容易に推定することができるだろう。図４のウエハＯＷおよびＳＷ（またはウエハＯＷおよびＢＷ、またはウエハＯＷおよびＳＷおよびＢＷ）を単一部品と見なすと、図１に示されるモジュールの製造に対応する光学ウエハ（「複合光学ウエハ」）および半完成品の様子を容易に可視化することができる。
【０１３４】
前述のように、同様に、たとえば光学ウエハの両面が構造化され、バッフルエハＢＷおよびスペーサウエハＳＷを置換える他の「複合ウエハ」の提供も可能である。
【０１３５】
再び図４を参照して、ウエハスタック２を形成するために、複数のウエハは整列され、たとえば熱硬化型エポキシ樹脂を用いる接着によって接合される。このとき、（たとえば基板ウエハＰＷ上の発光部材Ｅなどの）各能動光学部品を対応する（たとえば光学ウエハＯＷのレンズ部材Ｌなどの）受動光学部品に対して十分正確に配置されていることは、通常最も重要である。
【０１３６】
図４は、このようにして得られた、図１に示されたモジュール１を数多く製造するためのウエハスタック２の断面図を示す。細い破線の長方形は、たとえばダイシング鋸を用いることによって、分割を行なう場所を示している。
【０１３７】
ほとんどの整列ステップがウエハレベルで行われているということは、かなり簡単かつ非常に高速な方法で（特に部材Ｌに対して部材Ｅの）良好な整列を達成することができる。全体的な製造工程は、非常に高速かつ正確である。ウエハスケールで製造するため、数多くのモジュール１の製造にはごく少数の製造ステップが必要とされる。たとえば、ウエハスタックに複合されるウエハが製造され、発光部材Ｅがピックアンドプレースを用いて搭載され、その後、１つのみの整列ステップにおいて、すべての能動光学部品（Ｅ）および受動光学部品（Ｌ）が互いに対して（横方向で）整列され、縦方向の整列がスペーサウエハＳＷもしくは適切に設計された光学ウエハＯＷまたは基板ウエハＰＷによって規制されることにより、高精度が容易に達成される。
【０１３８】
図１〜１０を参照して説明される実施形態において、本発明のいくつかの局面（「発明の背景」を参照）が実現される。発光モジュールが実現されたため、本発明の第１の局面は実現される。光学ウエハＯＷ（透明部ｔおよび遮断部ｂ）がそれぞれ部分的に透明でありおよび部分的に不透明であるため、第２の側面が実現される。基板ウエハがＰＣＢまたはＰＣＢＡであるため、第４の側面が実現される。
【０１３９】
図１１は、他の光電子モジュール１の製造を概略的に示し、かつ、ウエハスタック２を示している。図において、細い破線の長方形は、分割を行なう場所を示している。透明光学ウエハＯＷが形成され、受動光学部品Ｌが非常に概略的に示されている。たとえば、光学部品Ｌは、たとえばエンボス加工を用いて、たとえば複製によって、ガラスまたは透明ポリマー基板上に製造することができる。このような光学ウエハは、遮光部を有しない透明部として見なされることができる。
【０１４０】
たとえばエンボス加工などの複製を用いて製造された不透明スペーサウエハ、およびたとえばガラス板またはポリマー系基板などの透明基板ウエハは、用意される。ウエハＯＷ、ＳＷおよびＰＷからウエハスタック２を形成する前にまたはその後で、たとえば接着によってＬＥＤなどの能動光学部品Ｅを（機械的に）取付ける。能動光学部品Ｅの取付けは、ウエハスタック２を個別の光電子モジュール１に分割する前に実施され、すなわち、ウエハレベルで実施される。これによって、操作が簡略化され、高精度の（横方向）の整列は比較的容易に実現することができる。
【０１４１】
能動光学部品Ｅの光学活性表面１４が基板ウエハＰＷに面しており、それらから出射される光（点線で示される）が基板ウエハＰＷを透過する。光電子モジュール１の電気接点が能動光学部品Ｅの電気接点によって形成される。図１１に示すように、電気接点は、半田ボール７であってもよいが、接触パッドであってもよく、または能動光学部品Ｅのリードフレームによって形成されてもよくまたはリードフレームと異なって形成されてもよい。
【０１４２】
したがって、図１１の実施形態は、本発明の第１、第３、第５および第６の局面の組合わせである。また、図３、４に示すよう（図５〜９も参照）に、光学ウエハＯＷをたとえば部分的に不透明のように設けることも可能であり、よって本発明の第２の局面を含むことになるだろう。
【０１４３】
能動光学部品Ｅの電気接点を光電子モジュール１の接点として使用すると、通常は図示の実施形態に本発明の第４の局面を含めることはできない。しかしながら、部分的に不透明基板ウエハＰＷは、上記の説明に基づき、たとえば図５〜７に示されるように製造された半完成品ｏｗ（図７参照）として形成することができる。代わりに、部分的に不透明基板ウエハＰＷは、前述と同様にウエハ前駆体８（図５参照）として形成することができる。
【０１４４】
特に、基板ウエハＰＷおよび光学ウエハＯＷの少なくとも一方が部分的に透明および部分的に不透明である場合、対応する２つのウエハ（ＯＷおよびＳＷ、またはＰＷおよびＳＷ）の機能を１つのウエハに複合することによって、基板ウエハおよび光学ウエハのいずれかでスペーサウエハＳＷを置換えることができる。
【０１４５】
基板ウエハＰＷおよび光学ウエハＯＷの両方が部分的に透明および部分的に不透明であり、もしスペーサウエハＳＷが不透明として存在すると、光が所望の特定の光路のみで、り具体的には受動光学部品Ｌなどの所望の透明部のみを通って出射されるように、光電子モジュール１を製造することができる。
【０１４６】
図１２〜１９は、本発明の第１、第４および第６の局面が実現されている光電子モジュール１を示している。その中では、第３の局面が実現されておらず、通常はその中で実現される必要がない。これらの実施形態において、ＰＣＢまたはインターポーザが基板部材Ｐとして使用することはでき、能動光学部品Ｅの電気接点が実現されても、基板部材Ｐによって再変更することはでき、光電子モジュール１の電気接点が、基板部材Ｐによって、半田ボールを有しない接触パッドまたは図示のようにたとえば半田ボール７を有する接触パッドとして実現することはできる。一例として、モジュール１は写真カメラまたはスマートフォンに使用可能なフラッシュモジュールなどの発光モジュールとし、よって能動光学部品ＥはＬＥＤのような発光体であるように理解してもよい。受動光学部品Ｌは主に非常に模式的に図に描かれ、場合によってより明白に描かれていることにも関わらず、任意の受動光学部品であってもよく、任意の受動光学部品の任意の組合わせであってもよい。多くの典型的な応用においてレンズが使用される。これらのレンズは、回折および／または屈折レンズであってもよく、単位的部品であってもよく、または（たとえば図１、２および４に示すように）２つ以上の部品から構成されてもよい。
【０１４７】
上記のウエハレベルに基づく製造工程の説明により、以下に説明する実施形態の製造方法がより明白になるであろう。
【０１４８】
図１２は、リードフレームパッケージ（リードフレーム１５）として実現され、基板部材Ｐに搭載された能動光学部品Ｅを含む光電子モジュール１を示している。基板部材Ｐおよび光学部材Ｏは、能動光学部品Ｅと受動光学部品Ｌとの間の縦距離を調整するスペーサ部材Ｓによって互いに対して固定される。光学部材Ｏは、たとえば、図１１に関連して上述したように実現することができる。スペーサ部材Ｓが不透明であるため、本発明の第５の局面は、この例において実現される。
【０１４９】
図１３は、図１２と同様の光電子モジュール１を示している。図において、能動光学部品Ｅは、背面から、すなわち能動光学部品Ｅの光学活性表面１４と反対側の面から半田を用いて電気的に接触させられる。能動光学部品Ｅは、パッケージ化された部品であってもよくベアチップであってもよい。さらに、図１３は、受動光学部品Ｌが、光、特に能動光学部品Ｅにより出射される光を適切に導くための任意の適切な形状を有するように、さまざまな方法で具現化することができることを示している。
【０１５０】
図１４は、図１２および１３と同様の光電子モジュール１を示している。図において、本発明の第２の局面は、たとえば図１および２に示されたような、遮光部ｂと透明部ｔとを有する部分的に不透明な光学部材Ｏによって実現される。同様に、第２の局面は、図１２および１３の実施形態において実現することもできる。
【０１５１】
また、図１４において、ベアチップの能動光学部品Ｅを電気的に接触させる別の方法、すなわちワイヤボンディング（ボンドワイヤ１６）と導電性接着剤１７とを使用する方法を示している。たとえば図１４の図示で分かるように、（光が出射される）光学能動な成分Ｅの前面をボンドワイヤ１６によって電気的に接触させるとともに、裏面を導電性接着剤１７によって電気的に接触させる。両方の接点を、基板部材Ｐを構成するＰＣＢまたはインターポーザの接触パッドに設けることができる。
【０１５２】
パック化されていない（ベアチップ）能動光学部品Ｅをモジュール１内に含むことは、特に小型のモジュール１の実現を可能にする。
【０１５３】
図１５は、図１２〜１４と同様の光電子モジュール１を示している。図において、光学部材Ｏはまた、スペーサウエハの機能を有している。このことは、図１２〜１４の実施形態において実現することも可能である。これにより、製造ステップおよび整列ステップを省くことができ、対応のモジュールが特に小さくすることができる。さらに、図１５において、（パッケージ化されたまたはパッケージ化されていない）能動光学部品Ｅが（もっぱら）導電性の半田１７を用いて電気的に接触させることができることは、示されている。さらに、受動光学部品Ｌは、レンズとして、特に凸レンズとしてより明白に描かれている。このような受動光学部品Ｌは、説明した他の実施形態において実現されても良い。光学部材Ｏが透明部ｔと遮光部ｂとを備えているため、本発明の第２の局面は、図１５の実施形態においても実現される。
【０１５４】
図１６は、被膜されたスペーサ部材Ｓを含む光電子モジュール１を示している。スペーサ部材Ｓは、スペーサ部材を適切な金属含有蒸気に曝すことによりまたはスペーサ部材にアルミニウムなどの金属をスパッタリングすることにより、たとえばスペーサ部材の表面に１つ以上の金属層を適用して得られた反射性被膜１８を備える。代わりに、誘電被膜は、特に反射性の誘電体被膜を適用してもよい。被膜を塗布する方法としては、気相堆積のほか、たとえば浸漬被覆を使用してもよい。この被膜は、モジュール１の光学特性を向上させることができ、および／または（光学部材Ｏを介して）モジュールから求められる特定の効果を達成するために適用することができる。具体的には、スペーサ部材Ｓのモジュール１の内部に面する表面は、部分的にまたは完全に被覆される。さらに、図１６に示すように、これらの表面は鉛直方向に対して傾斜し、より具体的に円錐を形成してもよい。
【０１５５】
スペーサ部材Ｓは、たとえば複製およびそれに続く被覆によって製造された実質的に不透明材料から作ることができるが、実質的に透明材料から作ることもできる。その理由は、被膜をスペーサ部材に完全に適用した場合、その被膜がスペーサ部材Ｓから光の出射を阻止することができることにある。
【０１５６】
透明部ｔと遮光部ｂとが設けられているため、モジュール１は、本発明の第２の局面を具体化する。これを実現する方法は本明細書において既に記載されている。しかしながら、完全に透明な光学部材Ｏを設けることもできる。ベアチップの能動光学部品Ｅは、半田を介してＰＣＢ基板部材Ｐと電気的に接触している。代わりに、本明細書に記載された、（パッケージ化されたまたはパッケージ化されていない）能動光学部品Ｅを取付けるおよび電気的に接触させる他の方法のいずれを用いてもよい。能動光学部品Ｅと基板部材Ｐとの間の機械的接触を強化するため、たとえば適切なエポキシなどのアンダーフィル（図示せず）をその２つの間に適用してもよい。
【０１５７】
図１７〜図１９は、光電子モジュールのさらなる実施形態を概略的に示している。図１７〜１９の実施形態において、モジュール１は、２つの基板部材Ｐ、Ｐ’を含む。能動光学部品Ｅは、たとえばガラスまたはポリマー基板などの、少なくとも部分的に透明である基板部材Ｐに（機械的に）固定され、たとえばＰＣＢなどの基板部材Ｐ’に電気的に接続される。通常、能動光学部品は、機械的に基板部材Ｐに固定されてから電気的に接続され、またはこの電気接続は、機械的固定とともに、１つの工程でたとえばリフロー工程で達成される。しかしながら、まず基板部材Ｐ’への電気接続を構築し、続いて基板部材Ｐへの機械的固定を構築してもよい。いずれにせよ、通常、ウエハスタック２を形成する前に、能動光学部品は、対応するウエハのどちらかの一方のウエハ（ＰまたはＰ）の上面にピックアンドプレースによって配置される。
【０１５８】
基板ウエハＳ’を考慮すると、本発明の第４の局面は、図１７〜１９により具体化される。通常、この基板ウエハＳ’は、本発明の第３の局面を具現化しないであろう。一方、基板ウエハＳを考慮した場合、本発明の第３の局面は、１７〜１９により具体化される。通常、この基板ウエハＳは、本発明の第４の局面を具現化しないであろう。
【０１５９】
能動光学部品は、パッケージ化されてもよくパッケージ化されなくてもよい。これらの能動光学部品は、記載された方法のいずれかにより電気的に接続されてもよい。そのうち、（基板部材Ｐに面する）上面へのワイヤボンディングが能動光学部品Ｅから光学部材Ｏまでの特定のかつ再現可能な距離の実現を難しくすることは、予想される。
【０１６０】
図１７において、２つのスペーサ部材Ｓ、Ｓ’を設けることができることは示され、スペーサ部材Ｓは、基板部材Ｐ（それゆえに能動光学部品Ｅ）と光学部材Ｏとの間の所望の縦距離を確保する。スペーサ部材Ｓは、図１６に関連して説明したように被覆することができ、および／または図１６に関連して説明した形状にすることができる。他方のスペーサ部材Ｓ’は、２つの基板ウエハＰ、Ｐ’の間に配置されている。これにより、能動光学部品Ｅと基板部材Ｅとの間の電気接続に作用する機械的応力（熱機械的応力を含む）を吸収することによって、モジュール１の機械的安定性を増大し、特にモジュールの寿命を増加することにつながる。（少なくとも）２つの基板（Ｐ，Ｐ’）を有する実施形態において、一方の基板ウエハ（図１７においてＰ）に能動光学部品Ｅを（配置して）固定された後に他方の基板ウエハ（図１７においてＰ’）に対する能動光学部品Ｅの電気接続を作成する場合、（横方向）の整列精度の増加につながる。
【０１６１】
２つの基板部材Ｐ、Ｐ’を有するモジュール１において、少なくとも一方のスペーサ部材を、それに対応して設計された他の部材すなわち基板部材ＰまたはＰ’で、または図１８に示すようにそれに対応して設計された光学部材Ｏで置換えてもよく、および／または図１９に示すように代替品を設けずに１つのスペーサ部材（Ｓ’）を省くことができる。図１９の実施形態において、チューブ状のスリーブまたは外側ジャケット１９は、分割の後に各モジュールに個別に適用される。また、同様の円形外側カバーは、説明した他の実施形態のいずれに適用することもできる。このようなカバーは、不透明材料から作ることができる。その場合、たとえば図１９における基板部材Ｐおよび光学部材Ｏを参照するように、少なくとも部分的に透明でなければならない部材（たとえばＰおよびＯ）における不透明部を作成するための努力は、省くことができる。
【０１６２】
図１９に示されたモジュール１は、図１１に示されたモジュール１と同様に得ることができる。（通常、分割の前に）たとえばＰＣＢなどの（第２の）基板ウエハは、ウエハスタック２内に設けられる。分割の後に、たとえば縦方向にスリーブ１９をスライドまたはシフトすることによって、スリーブ１９を各モジュール１に取付ける。
【０１６３】
図１９において、受動光学部品Ｌの別の例示的な実施形態、すなわち凹レンズが図示されている。この凹レンズは、本明細書に記載された他の実施形態において使用することができ、またその逆に、本明細書に記載された他の実施形態は図１９のモジュールに使用することもできる。また、他の受動光学部品をたとえば上述した実施形態のいずれかに適用することができる。
【０１６４】
図１８は、モジュール１のすべてのメンバーを、モジュールのすべての側壁が不透明材料から作られるように設計することのできることを示している。このことは、モジュール１から光の逃げ可能な箇所を制限することに寄与し、特定の（通常は暗色）のモジュール外観を達成することができる。
【０１６５】
また、図１８は、プリズム２０を含む光電子モジュール１を示している。このプリズム２０と、光電子モジュールの上面を構成する異なる形状の完全に透明なまたは部分的に透明な部品または素子とは、ウエハレベルで製造することができる。対応するウエハは、たとえば、透明ポリマーまたはガラス（特にポリマーの場合、射出成形）を用いて成形により製造ことができ、このようなウエハは複製法を用いて製造することもできる。特にガラスの場合、１つ以上の研磨工程を用いて対応するウエハを製造することも可能である。
【０１６６】
なお、上記に説明された不透明であるウエハ（および対応する部材）、または少なくとも１つの不透明部を含むウエハ（および対応する部材）を形成するため、ポリマー材料のみならず、たとえば成形された金属、場合によっては研磨された金属などの金属材料から不透明部を製造することができる。金属は、特に優れた寸法安定性および機械的安定性を与えることができる。たとえば、図５に示されるウエハ前駆体８のようなウエハ前駆体が金属ウエハとして具現化されることは可能である。しかしながら、多くの場合、ポリマーウエハは、軽量かつ安価であろう。
【０１６７】
本特許出願に記載された光電子モジュールは、非常に小さい寸法および高精度の整列、したがって高品質を有するとともに、優れた生産性を有することができる。
【符号の説明】
【０１６８】
１  装置，光電子モジュール，発光モジュール，ＬＥＤモジュール，フラッシュモジュール、２  装置，電化製品，ウエハスタック、３  透明領域、４  開口、５  光学構造，レンズ素子、６  透明素子、７  半田ボール、８  ウエハ前駆体、９  印刷回路板、１０  装置，電子装置，スマートフォン、１１  穴，開口、１２  支持層、１３  支持基板、１４  光学活性表面、１５  リードフレーム、１６  ボンドワイヤ、１７  導電性接着剤、１８  被膜，反射性被膜、１９  スリーブ，チューブ，ジャケット，カバー、２０  受動光学部品，プリズム、ｂ  遮光部，不透明部、Ｂ  バッフル部材、ＢＷ  バッフルウエハ、Ｄ  検出部材，検出器，フォトダイオード、Ｅ  能動光学部品，発光部材，発光体，発光ダイオード、Ｌ  受動光学部品，レンズ部材、Ｏ  光学部材、ｏｗ  半完成品、ｏｗ’  半完成品，複合半完成品、ＯＷ  光学ウエハ、Ｐ  基板、Ｐ’  基板、ＰＷ  基板ウエハ、ｓ１，ｓ２．．．  断面図を指す、Ｓ  スペーサ部材、Ｓ’  スペーサ部材、ＳＷ  スペーサウエハ、ｔ  透明部、Ｔ  透明材料。
【図１】
2014524663.tif 000003
【図２】
2014524663.tif 000004
【図３】
2014524663.tif 000005
【図４】
2014524663.tif 000006
【図５】
2014524663.tif 000007
【図６】
2014524663.tif 000008
【図７】
2014524663.tif 000009
【図８】
2014524663.tif 000010
【図９】
2014524663.tif 000011
【図１０】
2014524663.tif 000012
【図１１】
2014524663.tif 000013
【図１２】
2014524663.tif 000014
【図１３】
2014524663.tif 000015
【図１４】
2014524663.tif 000016
【図１５】
2014524663.tif 000017
【図１６】
2014524663.tif 000018
【図１７】
2014524663.tif 000019
【図１８】
2014524663.tif 000020
【図１９】
2014524663.tif 000021
【国際調査報告】
2014524663.tif 000022
2014524663.tif 000023
2014524663.tif 000024